(57)【特許請求の範囲】
【請求項１】
複数個の入賞口（２１〜２７）及び対応する入賞口（２１〜２７）への入球に伴い所定のセーフ球検出信号を夫々出力する複数の検出手段（３１〜３７）を配設してパチンコゲームを展開し得る遊技盤（３）と、セーフ球の検出に係る制御処理及び賞球の払出しに係る制御処理をなし得る制御装置（１８，１９）と、前記遊技盤（３）側の各検出手段（３１〜３７）によるセーフ球検出位置よりも下流側の所定位置に通出された全てのセーフ球を１個ずつ検出処理してセーフ球確認用の検出信号を出力するセーフ球処理装置（１６）と、セーフ球１個ずつに対する所定数の賞球を払出し得る球払出し装置（１５）とを備えたパチンコ遊技機にあって、
前記各検出手段（３１〜３７）で検出されたセーフ球は、前記遊技盤の裏側通路から機裏側下部の前記セーフ球処理装置（１６）に至るセーフ球処理路（５４）に流出し、そのセーフ球処理路（５４）において前記セーフ球検出位置から前記セーフ球処理路（５４）を経て前記セーフ球処理装置（１６）に至るまでの通出距離の相違する前記セーフ球が流通順に１列の整列状態とされ、前記セーフ球処理装置（１６）に導入され、
前記セーフ球処理装置（１６）では、前記セーフ球処理路（５４）を経て前記セーフ球処理装置（１６）に到達した到達順位毎に１球ずつセーフ球を一時停留し、その停留状態において１球のセーフ球を検出処理して前記セーフ球確認用の検出信号を出力するとともに、前記所定数の賞球の払出し後に既に検出処理された前記１球のセーフ球を排出し、
前記制御装置（１８，１９）は、
対応する検出手段（３１〜３７）からの前記セーフ球検出信号を入力する検出入力部（４１〜４７）と、前記検出入力部（４１〜４７）が入力した前記セーフ球検出信号を入力順に区分記憶する入力記憶部（３８）と、前記入力記憶部（３８）が区分記憶した前記セーフ球検出信号の入力記憶順に基づいて当該信号に対応したセーフ球１個分あたりの賞球個数に関係する賞球信号を出力する賞球信号出力部（３９）と、を有する主基板（１８）と、
前記主基板（１８）の賞球信号出力部（３９）から出力される賞球信号を入力する賞球信号入力部（４９）と、前記セーフ球処理装置（１６）から出力された前記セーフ球確認用の検出信号の入力処理に基づきセーフ球確認信号を出力する検出確認部（５２）と、前記信号入力部（４９）が入力した前記賞球信号を入力順に記憶し、前記賞球信号と前記検出確認部（５２）からの前記セーフ球確認信号とが入力される条件のもとで球払出し制御をなし得る球払出し制御部（４８）と、この球払出し制御部（４８）からの指令信号に基づいて前記球払出し装置（１５）の駆動手段（６９）の駆動・停止制御をなす駆動出力部（５１）と、を有する払出し基板（１９）とからなり、
前記球払出し装置（１５）は、前記駆動手段（６９）の駆動・停止制御により前記所定数の賞球の払出しが完了すると、カウント検出信号を前記主基板（１８）と前記払出し基板（１９）のそれぞれに出力し、
前記遊技盤（３）でのパチンコゲームにあって、前記検出確認部（５２）から出力された前記セーフ球確認信号と前記賞球信号出力部から出力された前記賞球信号が前記球払出し制御部（４８）に入力される条件とに基づき、前記球払出し装置（１５）の駆動手段（６９）が駆動・停止制御されて、入力記憶順のセーフ球１個に対する賞球信号に応答した所定数の賞球を払出し、
前記主基板（１８）の入力記憶部（３８）と前記払出し基板（１９）の球払出し制御部（４８）は、前記所定数の賞球の払出し後に前記球払出し装置（１５）が出力する前記カウント検出信号を入力し、それぞれが入力順に記憶している前記セーフ球検出信号と前記賞球信号について入力順位が１番目の各信号をそれぞれ消去し、
前記セーフ球処理装置（１６）は、前記払出し基板（１９）が前記カウント検出信号を入力したことに伴い出力する指令信号を入力し、一時停留させて既に検出処理したセーフ球を排出することを特徴とするパチンコ遊技機。
【請求項２】
複数個の入賞口（２１〜２７）及び対応する入賞口（２１〜２７）への入球に伴い所定のセーフ球検出信号を夫々出力する複数の検出手段（３１〜３７）を配設してパチンコゲームを展開し得る遊技盤（３）と、セーフ球の検出に係る制御処理及び賞球の払出しに係る制御処理をなし得る制御装置（１８，１９）と、前記遊技盤（３）側の各検出手段（３１〜３７）によるセーフ球検出位置よりも下流側の所定位置に通出された全てのセーフ球を１個ずつ検出処理してセーフ球確認用の検出信号を出力するセーフ球処理装置（１６）と、セーフ球１個ずつに対する所定数の賞球を払出し得る球払出し装置（１５）とを備えたパチンコ遊技機にあって、
前記各検出手段（３１〜３７）で検出されたセーフ球は、前記遊技盤の裏側通路から機裏側下部の前記セーフ球処理装置（１６）に至るセーフ球処理路（５４）に流出し、そのセーフ球処理路（５４）において前記セーフ球検出位置から前記セーフ球処理路（５４）を経て前記セーフ球処理装置（１６）に至るまでの通出距離の相違する前記セーフ球が流通順に１列の整列状態とされ、前記セーフ球処理装置（１６）に導入され、
前記セーフ球処理装置（１６）では、前記セーフ球処理路（５４）を経て前記セーフ球処理装置（１６）に到達した到達順位毎に１球ずつセーフ球を一時停留し、その停留状態において１球のセーフ球を検出処理して前記セーフ球確認用の検出信号を出力するとともに、前記所定数の賞球の払出し後に既に検出処理された前記１球のセーフ球を排出し、
前記制御装置（１８，１９）は、
対応する検出手段（３１〜３７）からの前記セーフ球検出信号を入力する検出入力部（４１〜４７）と、前記検出入力部（４１〜４７）が入力した前記セーフ球検出信号を入力順に区分記憶する入力記憶部（３８）と、前記セーフ球処理装置（１６）から出力された前記セーフ球確認用の検出信号の入力処理に基づきセーフ球確認信号を出力する検出確認部（５２）と、前記検出確認部（５２）からの前記セーフ球確認信号が入力される条件のもとで、前記入力記憶部（３８）が区分記憶した前記セーフ球検出信号の入力記憶順に基づいて当該信号に対応したセーフ球１個分あたりの賞球個数に関係する賞球信号を出力する賞球信号出力部（３９）と、を有する主基板（１８）と、
前記主基板（１８）の賞球信号出力部（３９）から出力される賞球信号を入力する賞球信号入力部（４９）と、前記信号入力部（４９）が入力した前記賞球信号を入力順に記憶し、前記賞球信号に基づき球払出し制御をなし得る球払出し制御部（４８）と、この球払出し制御部（４８）からの指令信号に基づいて前記球払出し装置（１５）の駆動手段（６９）の駆動・停止制御をなす駆動出力部（５１）と、を有する払出し基板（１９）とからなり、
前記球払出し装置（１５）は、前記駆動手段（６９）の駆動・停止制御により前記所定数の賞球の払出しが完了すると、カウント検出信号を前記主基板（１８）と前記払出し基板（１９）のそれぞれに出力し、
前記遊技盤（３）でのパチンコゲームにあって、前記検出確認部（５２）から出力された前記セーフ球確認信号が入力されることに伴って前記賞球信号出力部（３９）が出力する前記賞球信号が前記球払出し制御部（４８）に入力される条件に基づき、前記球払出し装置（１５）の駆動手段（６９）が駆動・停止制御されて、入力記憶順のセーフ球１個に対する賞球信号に応答した所定数の賞球を払出し、
前記主基板（１８）の入力記憶部（３８）と前記払出し基板（１９）の球払出し制御部（４８）は、前記所定数の賞球の払出し後に前記球払出し装置（１５）が出力する前記カウント検出信号を入力し、それぞれが入力順に記憶している前記セーフ球検出信号と前記賞球信号について入力順位が１番目の各信号をそれぞれ消去し、
前記セーフ球処理装置（１６）は、前記払出し基板（１９）が前記カウント検出信号を入力したことに伴い出力する指令信号を入力し、一時停留させて既に検出処理したセーフ球を排出することを特徴とするパチンコ遊技機。
【請求項３】
複数個の入賞口（２１〜２７）及び対応する入賞口（２１〜２７）への入球に伴い所定のセーフ球検出信号を夫々出力する複数の検出手段（３１〜３７）を配設してパチンコゲームを展開し得る遊技盤（３）と、セーフ球の検出に係る制御処理及び賞球の払出しに係る制御処理をなし得る制御装置（１８，１９）と、前記遊技盤（３）側の各検出手段（３１〜３７）によるセーフ球検出位置よりも下流側の所定位置に通出された全てのセーフ球を１個ずつ検出処理してセーフ球確認用の検出信号を出力するセーフ球処理装置（１６）と、セーフ球１個ずつに対する所定数の賞球を払出し得る球払出し装置（１５）とを備えたパチンコ遊技機にあって、
前記各検出手段（３１〜３７）で検出されたセーフ球は、前記遊技盤の裏側通路から機裏側下部の前記セーフ球処理装置（１６）に至るセーフ球処理路（５４）に流出し、そのセーフ球処理路（５４）において前記セーフ球検出位置から前記セーフ球処理路（５４）を経て前記セーフ球処理装置（１６）に至るまでの通出距離の相違する前記セーフ球が流通順に１列の整列状態とされ、前記セーフ球処理装置（１６）に導入され、
前記セーフ球処理装置（１６）では、前記セーフ球処理路（５４）を経て前記セーフ球処理装置（１６）に到達した到達順位毎に１球ずつセーフ球を一時停留し、その停留状態において１球のセーフ球を検出処理して前記セーフ球確認用の検出信号を出力するとともに、前記所定数の賞球の払出し後に既に検出処理された前記１球のセーフ球を排出し、
前記制御装置（１８，１９）は、
対応する検出手段（３１〜３７）からの前記セーフ球検出信号を入力する検出入力部（４１〜４７）と、前記検出入力部（４１〜４７）が入力した前記セーフ球検出信号を入力順に区分記憶する入力記憶部（３８）と、前記セーフ球処理装置（１６）から出力された前記セーフ球確認用の検出信号の入力処理に基づきセーフ球確認信号を出力する第１検出確認部（５２ａ）と、前記第１検出確認部（５２ａ）からの前記セーフ球確認信号が入力される条件のもとで、前記入力記憶部（３８）が区分記憶した前記セーフ球検出信号の入力記憶順に基づいて当該信号に対応したセーフ球１個分あたりの賞球個数に関係する賞球信号を出力する賞球信号出力部（３９）と、を有する主基板（１８）と、
前記主基板（１８）の賞球信号出力部（３９）から出力される賞球信号を入力する賞球信号入力部（４９）と、前記セーフ球処理装置（１６）から出力された前記セーフ球確認用の検出信号の入力処理に基づきセーフ球確認信号を出力する第２検出確認部（５２ｂ）と、前記信号入力部（４９）が入力した前記賞球信号を入力順に記憶し、前記賞球信号と前記第２検出確認部（５２ｂ）からの前記セーフ球確認信号とが入力される条件のもとで球払出し制御をなし得る球払出し制御部（４８）と、この球払出し制御部（４８）からの指令信号に基づいて前記球払出し装置（１５）の駆動手段（６９）の駆動・停止制御をなす駆動出力部（５１）と、を有する払出し基板（１９）とからなり、
前記球払出し装置（１５）は、前記駆動手段（６９）の駆動・停止制御により前記所定数の賞球の払出しが完了すると、カウント検出信号を前記主基板（１８）と前記払出し基板（１９）のそれぞれに出力し、
前記遊技盤（３）でのパチンコゲームにあって、前記第１検出確認部（５２ａ）から出力された前記セーフ球確認信号が入力されることに伴って前記賞球信号出力部（３９）が出力する前記賞球信号が前記球払出し制御部（４８）に入力される条件と、前記第２検出確認部（５２ｂ）から出力された前記セーフ球確認信号が前記球払出し制御部（４８）に入力される条件とに基づき、前記球払出し装置（１５）の駆動手段（６９）が駆動・停止制御されて、入力記憶順のセーフ球１個に対する賞球信号に応答した所定数の賞球を払出し、
前記主基板（１８）の入力記憶部（３８）と前記払出し基板（１９）の球払出し制御部（４８）は、前記所定数の賞球の払出し後に前記球払出し装置（１５）が出力する前記カウント検出信号を入力し、それぞれが入力順に記憶している前記セーフ球検出信号と前記賞球信号について入力順位が１番目の各信号をそれぞれ消去し、
前記セーフ球処理装置（１６）は、前記払出し基板（１９）が前記カウント検出信号を入力したことに伴い出力する指令信号を入力し、一時停留させて既に検出処理したセーフ球を排出することを特徴とするパチンコ遊技機。
【請求項４】
前記入力記憶部（３３）及び前記球払出し制御部（４８）には、外部電源の供給が停止した場合に、その記憶内容を保持しておくための電源を供給するバックアップ電源部が接続されている請求項１〜３のうちいずれか一項に記載のパチンコ遊技機。
【発明の詳細な説明】
【０００１】
【発明の属する技術分野】
この発明は、パチンコ遊技機に係り、例えば入賞器具を含む各種の遊技部品とアウト口を配設した遊技盤内で、パチンコ球によるセーフ球（入賞球）とアウト球の区分発生を伴うゲームを展開し得るようにしたパチンコ遊技機に関するものである。
【０００２】
【従来の技術】
近年における代表的なパチンコ遊技機（単にパチンコ機又は遊技機ともいう）では、機内に着脱交換可能にセットされる遊技盤の遊技領域内に、各種の形状・サイズ・形態の複数個の入賞器具が配設されており、これらの入賞器具における各入賞口に入ったセーフ球（入賞球ともいう）の１個ずつに対して、賞球獲得条件として少数個（例えば５〜９個の所定数）と多数個（例えば１０〜１５個の所定数）の賞球を遊技者が獲得できるように設定されたゲーム内容の機種が数多く実施されている。そのため、これらの機種ではパチンコ機の裏側に装備される各種の電気・電子制御装置として、ゲーム内容に係る必要な制御処理をなす主基板（遊技用基板ともいう）と、球払出しに係る必要な制御処理をなす払出し基板と、機裏側の所定位置に通出された全てのセーフ球を１個ずつ検出処理して機外へ排出するセーフ球処理装置、及びセーフ球１個ずつに対する所定数の賞球を払出し得る球払出し装置等を装備した構成としている。そして、前記各基板及び各装置を装備したもとで、前記各入賞口に入ったセーフ球の１個ずつに係る主基板での検出入力処理、セーフ球処理装置での検出排出処理、払出し基板での球払出し制御処理、及び球払出し装置での球払出し作動処理を行って、夫々のセーフ球の１個毎に対応する設定数の賞球（少数個又は多数個）を区分排出するようにしていた。
【０００３】
【発明が解決しようとする課題】
ところが、前述した従来のパチンコ機にあっては、何れのメーカの機種においても、セーフ球１個毎に対する賞球の区分払出し制御例として、遊技盤上の各入賞口に入った全セーフ球のうち特定の入賞口（一般的には少数個賞球獲得条件の入賞口）に入った一部のセーフ球（つまり少数個用セーフ球）のみが遊技盤側のセーフ球検出手段で検出されると共に、そのセーフ球検出信号が主基板に一旦入力記憶される構成とされ、前記少数個用セーフ球及び多数個用セーフ球を含む全てのセーフ球が下流側の所定位置に設けられたセーフ球処理装置により１個ずつ検出処理される毎に、主基板に対し前記セーフ球検出信号の入力記憶の有無が逐一確認され、その確認時にセーフ球検出信号（少数個用セーフ球の信号）が主基板に入力記憶されていれば、当該記憶内容に従って少数個の賞球が優先して払出し制御される。一方、その確認時にセーフ球検出信号が主基板に入力記憶されていなければ、多数個用セーフ球に対する多数個の賞球が払い出し制御される構成になっていた。
【０００４】
そのため、例えば遊技盤上の多数個賞球獲得条件の入賞口に対するセーフ球が発生したとしても、当該多数個用セーフ球についてはセーフ球検出信号が主基板に入力記憶されることはなく、又、当該多数個用セーフ球が下流側の前記セーフ球処理装置による検出処理位置へ到達するまでには通出経路の長さ等も関連してある程度のタイムラグが存在することから、そのタイムラグ中に、遊技盤上の特定の入賞口に対するセーフ球（少数個用セーフ球）がいくつか発生し、当該各少数個用セーフ球に関するセーフ球検出信号が主基板に入力された場合には、前記多数個用セーフ球よりも後で発生した前記各少数個用セーフ球に応答する少数個の賞球払い出しばかりが何度も優先して連続され、先に発生した多数個用セーフ球に応答する多数個の賞球払出しは後回しにされるという状態を呈していた。その結果、遊技者にとっては遊技に供されているパチンコ機について賞球払出し不良、機械の異常等ではないかという錯覚を抱き、ときには遊技ホール関係者との間に誤解によるトラブルを招くという大きな問題があった。
【０００５】
本発明は前述した課題を好適に解決するべくなされたものであって、遊技盤側の各入賞口に入ったセーフ球の１個ずつを速やかに検出する前提で、その検出入力順に基づいて設定数（少数個と多数個）の賞球を速やかに払い出し得るようにしたパチンコ遊技機を提供することを目的とするものである。
【０００６】
【課題を解決するための手段】
上記目的を達成するため、本願請求項１の発明は、複数個の入賞口及び対応する入賞口への入球に伴い所定のセーフ球検出信号を夫々出力する複数の検出手段を配設してパチンコゲームを展開し得る遊技盤と、セーフ球の検出に係る制御処理及び賞球の払出しに係る制御処理をなし得る制御装置と、前記遊技盤側の各検出手段によるセーフ球検出位置よりも下流側の所定位置に通出された全てのセーフ球を１個ずつ検出処理してセーフ球確認用の検出信号を出力するセーフ球処理装置と、セーフ球１個ずつに対する所定数の賞球を払出し得る球払出し装置とを備えたパチンコ遊技機にあって、前記各検出手段で検出されたセーフ球は、前記遊技盤の裏側通路から機裏側下部の前記セーフ球処理装置に至るセーフ球処理路に流出し、そのセーフ球処理路において前記セーフ球検出位置から前記セーフ球処理路を経て前記セーフ球処理装置に至るまでの通出距離の相違する前記セーフ球が流通順に１列の整列状態とされ、前記セーフ球処理装置に導入され、前記セーフ球処理装置では、前記セーフ球処理路を経て前記セーフ球処理装置に到達した到達順位毎に１球ずつセーフ球を一時停留し、その停留状態において１球のセーフ球を検出処理して前記セーフ球確認用の検出信号を出力するとともに、前記所定数の賞球の払出し後に既に検出処理された前記１球のセーフ球を排出し、前記制御装置は、対応する検出手段からの前記セーフ球検出信号を入力する検出入力部と、前記検出入力部が入力した前記セーフ球検出信号を入力順に区分記憶する入力記憶部と、前記入力記憶部が区分記憶した前記セーフ球検出信号の入力記憶順に基づいて当該信号に対応したセーフ球１個分あたりの賞球個数に関係する賞球信号を出力する賞球信号出力部と、を有する主基板と、前記主基板の賞球信号出力部から出力される賞球信号を入力する賞球信号入力部と、前記セーフ球処理装置から出力された前記セーフ球確認用の検出信号の入力処理に基づきセーフ球確認信号を出力する検出確認部と、前記信号入力部が入力した前記賞球信号を入力順に記憶し、前記賞球信号と前記検出確認部からの前記セーフ球確認信号とが入力される条件のもとで球払出し制御をなし得る球払出し制御部と、この球払出し制御部からの指令信号に基づいて前記球払出し装置の駆動手段の駆動・停止制御をなす駆動出力部と、を有する払出し基板とからなり、前記球払出し装置は、前記駆動手段の駆動・停止制御により前記所定数の賞球の払出しが完了すると、カウント検出信号を前記主基板と前記払出し基板のそれぞれに出力し、前記遊技盤でのパチンコゲームにあって、前記検出確認部から出力された前記セーフ球確認信号と前記賞球信号出力部から出力された前記賞球信号が前記球払出し制御部に入力される条件とに基づき、前記球払出し装置の駆動手段が駆動・停止制御されて、入力記憶順のセーフ球１個に対する賞球信号に応答した所定数の賞球を払出し、前記主基板の入力記憶部と前記払出し基板の球払出し制御部は、前記所定数の賞球の払出し後に前記球払出し装置が出力する前記カウント検出信号を入力し、それぞれが入力順に記憶している前記セーフ球検出信号と前記賞球信号について入力順位が１番目の各信号をそれぞれ消去し、前記セーフ球処理装置は、前記払出し基板が前記カウント検出信号を入力したことに伴い出力する指令信号を入力し、一時停留させて既に検出処理したセーフ球を排出することを特徴とする。
【０００７】
従って、本願請求項１の発明においては、遊技盤上の各入賞口に夫々セーフ球が逐次入賞している状況下において、それら全てのセーフ球は夫々対応する検出手段により検出された後、下流側の所定位置に通出されて１球ずつセーフ球処理装置により検出処理される。すると、セーフ球処理装置から前記１球ずつの検出処理に基づきセーフ球確認用の検出信号が払出し基板の検出確認部に出力されると共に、検出確認部からは当該検出信号の入力処理に基づきセーフ球確認信号が出力され、当該セーフ球確認信号が払出し基板の球払出し制御部に入力される。一方、前記遊技盤側の各検出手段から出力された夫々のセーフ球検出信号は主基板の入力記憶部にて区分記憶されると共に、主基板の賞球信号出力部からは前記各セーフ球検出信号に対応した賞球個数に関係する賞球信号が入力記憶順に出力され、当該賞球信号が払出し基板の賞球信号入力部に入力されるとともに球払出し制御部にて賞球信号の入力順に記憶される。そして、球払出し制御部にセーフ球確認信号と賞球信号が入力される条件とに基づき、球払出し装置が作動されて、セーフ球１個に対する賞球信号に応答した所定数（例えば少数個と多数個）の賞球が払出される。また、所定数の賞球の払出し後に球払出し装置からのカウント検出信号が主基板と払出し基板に入力されると、入力記憶部と球払出し制御部においてそれぞれが記憶しているセーフ球検出信号と賞球信号が入力順に消去される。また、カウント検出信号を入力したことに伴う払出し基板からの指令信号がセーフ球処理装置に入力されると、セーフ球処理装置において一時停留されて既に検出処理されたセーフ球が排出される。
【０００８】
また本願請求項２の発明は、複数個の入賞口及び対応する入賞口への入球に伴い所定のセーフ球検出信号を夫々出力する複数の検出手段を配設してパチンコゲームを展開し得る遊技盤と、セーフ球の検出に係る制御処理及び賞球の払出しに係る制御処理をなし得る制御装置と、前記遊技盤側の各検出手段によるセーフ球検出位置よりも下流側の所定位置に通出された全てのセーフ球を１個ずつ検出処理してセーフ球確認用の検出信号を出力するセーフ球処理装置と、セーフ球１個ずつに対する所定数の賞球を払出し得る球払出し装置とを備えたパチンコ遊技機にあって、前記各検出手段で検出されたセーフ球は、前記遊技盤の裏側通路から機裏側下部の前記セーフ球処理装置に至るセーフ球処理路に流出し、そのセーフ球処理路において前記セーフ球検出位置から前記セーフ球処理路を経て前記セーフ球処理装置に至るまでの通出距離の相違する前記セーフ球が流通順に１列の整列状態とされ、前記セーフ球処理装置に導入され、前記セーフ球処理装置では、前記セーフ球処理路を経て前記セーフ球処理装置に到達した到達順位毎に１球ずつセーフ球を一時停留し、その停留状態において１球のセーフ球を検出処理して前記セーフ球確認用の検出信号を出力するとともに、前記所定数の賞球の払出し後に既に検出処理された前記１球のセーフ球を排出し、前記制御装置は、対応する検出手段からの前記セーフ球検出信号を入力する検出入力部と、前記検出入力部が入力した前記セーフ球検出信号を入力順に区分記憶する入力記憶部と、前記セーフ球処理装置から出力された前記セーフ球確認用の検出信号の入力処理に基づきセーフ球確認信号を出力する検出確認部と、前記検出確認部からの前記セーフ球確認信号が入力される条件のもとで、前記入力記憶部が区分記憶した前記セーフ球検出信号の入力記憶順に基づいて当該信号に対応したセーフ球１個分あたりの賞球個数に関係する賞球信号を出力する賞球信号出力部と、を有する主基板と、前記主基板の賞球信号出力部から出力される賞球信号を入力する賞球信号入力部と、前記信号入力部が入力した前記賞球信号を入力順に記憶し、前記賞球信号に基づき球払出し制御をなし得る球払出し制御部と、この球払出し制御部からの指令信号に基づいて前記球払出し装置の駆動手段の駆動・停止制御をなす駆動出力部と、を有する払出し基板とからなり、前記球払出し装置は、前記駆動手段の駆動・停止制御により前記所定数の賞球の払出しが完了すると、カウント検出信号を前記主基板と前記払出し基板のそれぞれに出力し、前記遊技盤でのパチンコゲームにあって、前記検出確認部から出力された前記セーフ球確認信号が入力されることに伴って前記賞球信号出力部が出力する前記賞球信号が前記球払出し制御部に入力される条件に基づき、前記球払出し装置の駆動手段が駆動・停止制御されて、入力記憶順のセーフ球１個に対する賞球信号に応答した所定数の賞球を払出し、前記主基板の入力記憶部と前記払出し基板の球払出し制御部は、前記所定数の賞球の払出し後に前記球払出し装置が出力する前記カウント検出信号を入力し、それぞれが入力順に記憶している前記セーフ球検出信号と前記賞球信号について入力順位が１番目の各信号をそれぞれ消去し、前記セーフ球処理装置は、前記払出し基板が前記カウント検出信号を入力したことに伴い出力する指令信号を入力し、一時停留させて既に検出処理したセーフ球を排出することを特徴とする。
【０００９】
従って、本願請求項２の発明においては、遊技盤上の各入賞口に夫々セーフ球が逐次入賞している状況下において、それら全てのセーフ球は夫々対応する検出手段により検出された後、下流側の所定位置に通出されて１球ずつセーフ球処理装置により検出処理される。すると、セーフ球処理装置から前記１球ずつの検出処理に基づきセーフ球確認用の検出信号が主基板の検出確認部に出力されると共に、検出確認部からは当該検出信号の入力処理に基づきセーフ球確認信号が出力される。また、前記遊技盤側の各検出手段から出力された夫々のセーフ球検出信号は主基板の入力記憶部にて区分記憶され、セーフ球確認信号が出力されることにより、主基板の賞球信号出力部からは前記各セーフ球検出信号に対応した賞球個数に関係する賞球信号が入力記憶順に出力され、当該賞球信号が払出し基板の賞球信号入力部に入力されるとともに球払出し制御部にて賞球信号の入力順に記憶される。そして、球払出し制御部に賞球信号が入力されると、球払出し装置が作動されて、セーフ球１個に対する賞球信号に応答した所定数（例えば少数個と多数個）の賞球が払出される。また、所定数の賞球の払出し後に球払出し装置からのカウント検出信号が主基板と払出し基板に入力されると、入力記憶部と球払出し制御部においてそれぞれが記憶しているセーフ球検出信号と賞球信号が入力順に消去される。また、カウント検出信号を入力したことに伴う払出し基板からの指令信号がセーフ球処理装置に入力されると、セーフ球処理装置において一時停留されて既に検出処理されたセーフ球が排出される。
【００１０】
また本願請求項３の発明は、複数個の入賞口及び対応する入賞口への入球に伴い所定のセーフ球検出信号を夫々出力する複数の検出手段を配設してパチンコゲームを展開し得る遊技盤と、セーフ球の検出に係る制御処理及び賞球の払出しに係る制御処理をなし得る制御装置と、前記遊技盤側の各検出手段によるセーフ球検出位置よりも下流側の所定位置に通出された全てのセーフ球を１個ずつ検出処理してセーフ球確認用の検出信号を出力するセーフ球処理装置と、セーフ球１個ずつに対する所定数の賞球を払出し得る球払出し装置とを備えたパチンコ遊技機にあって、前記各検出手段で検出されたセーフ球は、前記遊技盤の裏側通路から機裏側下部の前記セーフ球処理装置に至るセーフ球処理路に流出し、そのセーフ球処理路において前記セーフ球検出位置から前記セーフ球処理路を経て前記セーフ球処理装置に至るまでの通出距離の相違する前記セーフ球が流通順に１列の整列状態とされ、前記セーフ球処理装置に導入され、前記セーフ球処理装置では、前記セーフ球処理路を経て前記セーフ球処理装置に到達した到達順位毎に１球ずつセーフ球を一時停留し、その停留状態において１球のセーフ球を検出処理して前記セーフ球確認用の検出信号を出力するとともに、前記所定数の賞球の払出し後に既に検出処理された前記１球のセーフ球を排出し、前記制御装置は、対応する検出手段からの前記セーフ球検出信号を入力する検出入力部と、前記検出入力部が入力した前記セーフ球検出信号を入力順に区分記憶する入力記憶部と、前記セーフ球処理装置から出力された前記セーフ球確認用の検出信号の入力処理に基づきセーフ球確認信号を出力する第１検出確認部と、前記第１検出確認部からの前記セーフ球確認信号が入力される条件のもとで、前記入力記憶部が区分記憶した前記セーフ球検出信号の入力記憶順に基づいて当該信号に対応したセーフ球１個分あたりの賞球個数に関係する賞球信号を出力する賞球信号出力部と、を有する主基板と、前記主基板の賞球信号出力部から出力される賞球信号を入力する賞球信号入力部と、前記セーフ球処理装置から出力された前記セーフ球確認用の検出信号の入力処理に基づきセーフ球確認信号を出力する第２検出確認部と、前記信号入力部が入力した前記賞球信号を入力順に記憶し、前記賞球信号と前記第２検出確認部からの前記セーフ球確認信号とが入力される条件のもとで球払出し制御をなし得る球払出し制御部と、この球払出し制御部からの指令信号に基づいて前記球払出し装置の駆動手段の駆動・停止制御をなす駆動出力部と、を有する払出し基板とからなり、前記球払出し装置は、前記駆動手段の駆動・停止制御により前記所定数の賞球の払出しが完了すると、カウント検出信号を前記主基板と前記払出し基板のそれぞれに出力し、前記遊技盤でのパチンコゲームにあって、前記第１検出確認部から出力された前記セーフ球確認信号が入力されることに伴って前記賞球信号出力部が出力する前記賞球信号が前記球払出し制御部に入力される条件と、前記第２検出確認部から出力された前記セーフ球確認信号が前記球払出し制御部に入力される条件とに基づき、前記球払出し装置の駆動手段が駆動・停止制御されて、入力記憶順のセーフ球１個に対する賞球信号に応答した所定数の賞球を払出し、前記主基板の入力記憶部と前記払出し基板の球払出し制御部は、前記所定数の賞球の払出し後に前記球払出し装置が出力する前記カウント検出信号を入力し、それぞれが入力順に記憶している前記セーフ球検出信号と前記賞球信号について入力順位が１番目の各信号をそれぞれ消去し、前記セーフ球処理装置は、前記払出し基板が前記カウント検出信号を入力したことに伴い出力する指令信号を入力し、一時停留させて既に検出処理したセーフ球を排出することを特徴とする。
【００１１】
従って、本願請求項３の発明においては、遊技盤上の各入賞口に夫々セーフ球が逐次入賞している状況下において、それら全てのセーフ球は夫々対応する検出手段により検出された後、下流側の所定位置に通出されて１球ずつセーフ球処理装置により検出処理される。すると、セーフ球処理装置から前記１球ずつの検出処理に基づきセーフ球確認用の検出信号が主基板の第１検出確認部と払出し基板の第２検出確認部に出力されると共に、第１検出確認部と第２検出確認部からは当該検出信号の入力処理に基づきセーフ球確認信号が出力される。また、前記遊技盤側の各検出手段から出力された夫々のセーフ球検出信号は主基板の入力記憶部にて区分記憶され、第１検出確認部からセーフ球確認信号が出力されることにより、主基板の賞球信号出力部からは前記各セーフ球検出信号に対応した賞球個数に関係する賞球信号が入力記憶順に出力され、当該賞球信号が払出し基板の賞球信号入力部に入力されるとともに球払出し制御部にて賞球信号の入力順に記憶される。そして、第２検出確認部からのセーフ球確認信号が払出し基板の球払出し制御部に入力されると、球払出し制御部にセーフ球確認信号と賞球信号が入力される条件とに基づき、球払出し装置が作動されて、セーフ球１個に対する賞球信号に応答した所定数（例えば少数個と多数個）の賞球が払出される。また、所定数の賞球の払出し後に球払出し装置からのカウント検出信号が主基板と払出し基板に入力されると、入力記憶部と球払出し制御部においてそれぞれが記憶しているセーフ球検出信号と賞球信号が入力順に消去される。また、カウント検出信号を入力したことに伴う払出し基板からの指令信号がセーフ球処理装置に入力されると、セーフ球処理装置において一時停留されて既に検出処理されたセーフ球が排出される。
【００１２】
また本願請求項４の発明は、前記請求項１〜３のうちいずれか一項に記載の発明において、前記入力記憶部及び前記球払出し制御部には、外部電源の供給が停止した場合に、その記憶内容を保持しておくための電源を供給するバックアップ電源部が接続されていることを特徴とする。
【００１３】
従って、本願請求項４の発明においては、前記請求項１〜３の発明の作用に加え、外部電源の供給が停止した際には入力記憶部と球払出し制御部にバックアップ電源部から電源が供給されるので、それぞれが入力順に記憶したセーフ球検出信号と賞球信号が外部電源の供給停止後も保持される。そして、電源復帰後は、入力記憶部と球払出し制御部に記憶保持されているセーフ球検出信号と賞球信号に基づき、賞球の払出しが行われる。
【００１４】
【発明の実施の形態】
以下、本発明に係るパチンコ遊技機の第一実施形態を添付図面を参照しながら詳細に説明する。
【００１５】
本実施形態のパチンコ遊技機は、その基本的構成の概要として、図１及び図２に略示するように、機体の外郭をなす外枠１の開口前面側に、各種の遊技用構成部材をセットする縦長方形の前枠２が開閉及び着脱可能に組付けられており、この前枠２の前面側に機内部の遊技盤３を透視保護するための窓枠４と上球皿５とが共に横開き形態で開閉可能に組付け整合されると共に、前枠２の下部には下球皿６及び打球発射装置７等が装着されている。また、外枠１の一側縁には球貸しシステムに利用されるカードユニット部８が装備されており、同ユニット部８のカード挿入口９にカードが挿入されて前記上球皿５の上部前面に設けられた球貸し操作部１０が操作されると、図示しないカードリーダーの球貸し判読制御条件に従い、前記カードの有効金額内における一定額単位に対して所定個数（例えば１００円に対して２５個）の貸し球を払出し得るようになっている。
【００１６】
一方、図２に示すように、前記前枠２の裏側には各種の球経路及び処理部等を備えた機構セット盤１１が着脱可能にセットされており、この機構セット盤１１では、上部に設けられた球タンク１２から整流樋１３を介して貯留球が流下供給される供給経路部１４の下流端に後述する球払出し装置１５が着脱可能にビス等で取着セットされ、この球払出し装置１５から賞球又は貸し球として払出された貯留球が排出経路（図示しない）を介して前記上球皿５へ供給されるようになっている。また、前記機構セット盤１１の裏側下部には後述するセーフ球処理装置１６が着脱可能にセットされ、導入されたセーフ球を１個ずつ停留検出して所定個数の賞球払出し後に当該セーフ球を解放通出するようになっている。さらに、前記機構セット盤１１の上部には、電源部（ＡＣ２４Ｖ）に接続されると共に賞球情報信号及び球貸し情報信号を図示しない外部コンピュータ等へ出力する外部接続端子板１７が配設される一方、前記機構セット盤１１の下部には、ゲーム内容を制御する主基板１８と、貯留球排出処理（賞球払出しと貸し球払出し）及び必要に応じたセーフ球検出処理を制御する払出し基板（図２において破線で示す）１９が配置されている。なお、図２中の符号２０は前記カードユニット部８と払出し基板１９とを電気的に接続するインターフェースボードである。
【００１７】
このような本実施形態のパチンコ遊技機にあって、前記遊技盤３について説明すると、図１に示すように、遊技盤３の前面には多数（本実施形態では７つ）の入賞口２１〜２７がパチンコゲームに使用される図柄表示装置２８や案内車等の各種遊技器具と共に設けられて遊技面が構成されている。これらの入賞口２１〜２７については、パチンコゲーム中に入ったセーフ球に対する賞球数獲得条件が予め設定されたものとして、便宜上、本実施形態では少数個獲得条件（例えば５〜９個の所定数）の普通入賞口２１〜２５と、多数個獲得条件（例えば１０〜１５個の所定数）の特定入賞口２６，２７の二種類に分別された例を示す。また、前記遊技盤３の前面において前記図柄表示装置２８の左右両側には遊技球（セーフ球ではない）の通過を許容して、図柄表示装置２８とは別の普通図柄表示装置２８ａの図柄を可変表示させるための図柄作動口２９が配設されると共に、前記遊技盤３の前面下部にはアウト球を図示しないアウト球排出路を介して機裏側へ排出するためのアウト口３０が形成されている。なお、前記各入賞口２１〜２７のうち入賞口２５は電動式の始動入賞口ともいい、また入賞口２７は一般に大入賞口ともいう。
【００１８】
一方、前記遊技盤３の裏面には、図２に示すように、前記各普通入賞口２１〜２５と対応する位置に入賞検知スイッチ（ＳＷ）３１〜３５が少数個用セーフ球の検出手段として夫々設けられると共に、前記各特定入賞口２６，２７と対応する位置に入賞検知スイッチ（ＳＷ）３６，３７が多数個用セーフ球の検出手段として夫々設けられた例を示し、各入賞検知ＳＷ３１〜３７により夫々対応する入賞口２１〜２７に入った遊技球（セーフ球）を検出するようになっている。そして、前記各入賞口２１〜２７に入って各入賞検知ＳＷ３１〜３７によりセーフ球検出された全てのセーフ球（少数個用セーフ球及び多数機用セーフ球）は後述するセーフ球処理路５４を介して最終的に前記セーフ球処理装置１６に導入されるようになっている。なお、前記入賞検知ＳＷ３７は、一般的に、カウントスイッチ、開放継続スイッチともされる。
【００１９】
ここで、本実施形態のパチンコ遊技機における電気的構成を説明すると、図３に示すように、前記主基板１８にはゲーム内容の主制御プログラムを記憶すると共に各セーフ球検出信号を入力して区分記憶可能な入力記憶部としての中央処理装置（以下、「ＣＰＵ」という。）３８が内装されており、同ＣＰＵ３８の出力側には賞球信号出力部３９が接続されると共に、入力側には複数の検出入力部４０〜４７が接続されている。これら各検出入力部４０〜４７のうち図３において一番上に図示した検出入力部４０には球払出し装置１５において払出しされた賞球数のカウント検出信号が入力される。また同じく図３において二番目に図示した検出入力部４１〜４５には前記各普通入賞口２１〜２５に対応する入賞検知ＳＷ３１〜３５からの各セーフ球検出信号（少数個用セーフ球の検出信号）が夫々入力される。なお、これら各検出入力部４１〜４５及び各入賞検知ＳＷ３１〜３５に関して図３には検出入力部及び入賞検知ＳＷが夫々一つずつしか図示されていないが、実際には前記５つの普通入賞口２１〜２５に対応して夫々５つずつ実装されている。また同じく図３において三番目及び四番目に図示した各検出入力部４６，４７には前記各特定入賞口２６，２７に対応する入賞検知ＳＷ３６，３７からの各セーフ球検出信号（多数個用セーフ球の検出信号）が夫々入力される。そして、本実施形態では前記ＣＰＵ３８と賞球信号出力部３９及び各検出入力部４１〜４７により第１制御部１８ａが構成されている。
【００２０】
また、前記払出し基板１９には球払出し制御処理を行う球払出し制御部としての中央処理装置（以下、「ＣＰＵ」という。）４８が内装されており、このＣＰＵ４８の入力側には前記主基板１８の賞球信号出力部３９からの賞球信号を入力する賞球信号入力部４９が接続されると共に、前記カードユニット部８との間で球貸し制御信号を入出力する球貸し制御信号入出力部５０が接続されている。一方、前記払出し基板１９におけるＣＰＵ４８の出力側には、このＣＰＵ４８からの指令信号に基づき球払出し装置１５とセーフ球処理装置１６に駆動信号を夫々出力する駆動出力部５１が接続されると共に、セーフ球処理装置１６からの１球ずつのセーフ球検出処理に伴い出力されるセーフ球確認用の信号を入力するための検出確認部（セーフ球確認部ともいう）５２が接続されている。さらに前記払出し基板１９の出力側には球払出し装置１５において払出した賞球数又は貸し球数のカウント検出信号が入力される検出入力部５３が接続されている。そして、本実施形態では前記ＣＰＵ４８と賞球信号入力部４９及び駆動出力部５１により第２制御部１９ａが構成されている。
【００２１】
ここで、前記セーフ球処理装置１６について説明すると、本実施形態では図６〜図１０に示す各態様のセーフ球処理装置を使用可能であるが、ここでは図６のセーフ球処理装置１６を例示してそのセーフ球処理態様を説明する。さて、図６に示すように、本実施形態のセーフ球処理装置１６は、機構セット盤１１側に着脱可能にビス着される１つの本体１６Ａにおいて、セーフ球処理路５４から導入される全てのセーフ球を１球ずつ整列状態で通入出可能なセーフ球通路５５を有しており、このセーフ球通路５５の近傍に第１ストッパ部５６と第２ストッパ部５７を備えた切換えレバー５８が支点５９を中心に回動自在に支持されている。また、前記セーフ球通路５５の途中には切換えレバー５８の第１ストッパ部５６がセーフ球通路５５内に位置してセーフ球を１個ずつ停留した状態時に当該１個のセーフ球を検出してセーフ球確認用の検出信号を出力するセーフ球スイッチ（ＳＷ）６０が配設されると共に、前記切換えレバー５８の先端部にはバネ６１により図６において時計方向へ回動付勢された可動鉄片６２の先端が係合されており、この可動鉄片６２の近傍には前記払出し基板１９の駆動出力部５１からの指令信号を受けて励磁・消磁作動するセーフ球ソレノイド（ＳＯＬ）６３が配設されている。
【００２２】
また、前記球払出し装置１５について説明すると、本実施形態では図１１〜図１７に示す各態様の球払出し装置を使用可能であるが、ここでは図１１の球払出し装置１５を例示してその球払出し処理態様を説明する。さて、図１１に示すように、本実施形態の球払出し装置１５は、機構セット盤１１側に着脱可能にビス着される１つの本体１５Ａにおいて、前記機構セット盤１１側の供給経路部１４から流下供給される賞球を１球ずつ整列状態で通入出可能な賞球通路６４を有しており、この賞球通路６４の途中には賞球検出手段６５を構成する上下の各センサ６５ａ，６５ｂが所定間隔をおいて配設されると共に、両センサ６５ａ，６５ｂの間で賞球通路６４内に臨むようにして外周部に球受け部６６ａが凹設されてなる爪車式の球送り体６６が回転自在に支持されている。また、前記球送り体６６の球受け部６６ａにはバネ６７により図１１において反時計方向へ回動付勢された可動鉄片６８の先端が係合されており、この可動鉄片６８の近傍には前記払出し基板１９の駆動出力部５１からの指令信号を受けて励磁・消磁作動する駆動手段としてのソレノイド（ＳＯＬ）６９が配設されている。なお、前記球払出し装置１５は賞球払出し及び貸し球払出し兼用タイプのものであり、前記賞球通路６４には貸し球通路としての役割も持たされており、前記賞球検出手段６５は貸し球検出手段７０としての機能をも果たし得るものである。
【００２３】
次に本実施形態のパチンコ遊技機の作用につき説明する。
さて、本実施形態のパチンコ遊技機では、カードユニット部８のカード挿入口９に対するカードの挿入及び機表側での前記球貸し操作部１０のボタン操作により、球払出し装置１５から払出された所定個数（１００円分に対して２５個）の貸し球が上球皿５へ供給される。このもとで打球発射装置７の作動に基づいて遊技球を１球ずつ遊技盤３内へ打出すことにより所要のパチンコゲームを展開し得る。そして、このゲーム中に発生したアウト球については遊技盤３下部のアウト口３０から機側へ排出され、一方、前記各入賞口２１〜２７に入った各セーフ球については、後述するように夫々対応する入賞検知ＳＷ３１〜３７によってセーフ球検出された後、前記セーフ球処理装置１６によるセーフ球検出処理と主基板１８及び払出し基板１９からなる制御装置１８，１９の制御作動に基づいて、セーフ球１個ずつに対する所定個数（例えば５〜９個の少数個、又は１０〜１５個の多数個の夫々の所定数）の賞球が払出されて、上球皿５又は下球皿６へ排出される。そこで、以下には、前記遊技盤３の各入賞口２１〜２７に対して複数の遊技球が連続して入賞し、このセーフ球が連続的に発生した場合の払出し制御処理について説明する。なお説明の前提として、本実施形態では、一つの特定入賞口２６で最初のセーフ球が発生した後、一つの普通入賞口２４で二番目のセーフ球が発生し、その後、図柄表示装置２８での図柄組合せによる「大当り成立」の後に他の一つの特定入賞口２７において三番目のセーフ球が発生した場合を例にして説明する。
【００２４】
まず、前記特定入賞口２６に入った最初のセーフ球、前記普通入賞口２４に入った二番目のセーフ球、及び前記他の特定入賞口２７に入った三番目のセーフ球は、前記各入賞口２６，２４，２７と夫々対応する各入賞検知ＳＷ３６，３４，３７により各々セーフ球検出された後、前記機構セット盤１１のセーフ球処理路５４を介してセーフ球処理装置１６側に導入される。一方、前記各入賞検知ＳＷ３６，３４，３７からは夫々が検出したセーフ球の検出信号（多数個用セーフ球の検出信号又は少数個用セーフ球の検出信号）が、主基板１８側において各入賞検知ＳＷ３６，３４，３７と夫々対応する各検出入力部４６，４４，４７を介して前記ＣＰＵ３８に区分記憶される。そして、このＣＰＵ３８における区分記憶に際しては、前記各入賞検知ＳＷ３６，３４，３７からの３つのセーフ球検出信号がそれらの入力順に従い区分記憶される。
【００２５】
即ち、最初のセーフ球を検出した入賞検知ＳＷ３６からのセーフ球検出信号（多数個用セーフ球の検出信号）が入力順位一番目のセーフ球検出信号として区分記憶されると共に、二番目のセーフ球を検出した入賞検知ＳＷ３４からのセーフ球検出信号（少数個用セーフ球の検出信号）が入力順位二番目のセーフ球検出信号として区分記憶され、さらに三番目のセーフ球を検出した入賞検知ＳＷ３７からのセーフ球検出信号（多数個用セーフ球の検出信号）が入力順位三番目のセーフ球検出信号として区分記憶される。すると、前記ＣＰＵ３８では各入賞口２１〜２７に夫々対応させて複数種の払出し賞球個数に関係する賞球情報を予め記憶している（本実施形態では、例として所定のコマンド出力の組合せによる出力パターンが設定された少数個払出し用の賞球情報と多数個払出し用の賞球情報の２種類の賞球情報が予め記憶されている）ことから、ＣＰＵ３８は区分記憶した前記各セーフ球検出信号と対応する賞球情報を選択し、当該賞球情報の信号（賞球信号）を前記各セーフ球検出信号の入力記憶順に基づき賞球信号出力部３９へ出力する。そして、これら各賞球信号が前記賞球信号出力部３９から払出し基板１９の賞球信号入力部４９に出力されると共に、同賞球信号入力部４９から払出し基板１９側の前記ＣＰＵ４８に順次入力され、同ＣＰＵ４８においては前記各賞球信号が入力順に一時記憶される。
【００２６】
一方、前記セーフ球処理装置１６では、前記各入賞検知ＳＷ３６，３４，３７により各々セーフ球検出されて、前記セーフ球処理路５４を流出する全てのセーフ球を流通順に１列の整列状態でセーフ球通路５５内に導入する。なお、このとき前記セーフ球処理装置１６は、通常の状態としてソレノイド６３が消磁された図６の状態にあり、前記切換えレバー５８は、バネ６１の付勢力に基づき第２ストッパ部５７をセーフ球通路５５外に位置させる一方、第１ストッパ部５６をセーフ球通路５５内でセーフ球スイッチ６０の下方に位置させている。そのため、前記整列状態の各セーフ球は、セーフ球処理装置１６に対する到達順位一番目のセーフ球（必ずしも前記特定入賞口２６に入った最初のセーフ球とは限らない。）が前記第１ストッパ部５６により一時停留され、その停留状態においてセーフ球スイッチ６０により検出される。そして、この到達順位一番目のセーフ球１個の検出処理に基づきセーフ球スイッチ６０からセーフ球確認用の検出信号が払い出し基板１９の検出確認部５２に出力される。
【００２７】
すると、このセーフ球確認用の検出信号の入力処理に基づき検出確認部５２からセーフ球確認信号が前記ＣＰＵ４８に出力され、ＣＰＵ４８ではセーフ球確認信号の入力に基づき前記賞球信号入力部４９から入力されて入力順に記憶している各賞球信号のうち、その時点で最も入力順位が早い賞球信号（この場合は最初のセーフ球に対応した入力順位一番目の多数個払出し用の賞球信号）に基づく指令信号を駆動出力部５１に出力する。すると、この指令信号を受けた駆動出力部５１により球払出し装置１５のソレノイド６９が駆動・停止制御され、球払出し装置１５では前記可動鉄片６８との係合状態を解除された球送り体６６が払出し賞球個数（多数個）に対応した所定回転数だけ球受け部６６ａにより貯留球を１球ずつ受けながら回転して前記入力順位一番目の賞球信号に対応した賞球、即ち前記特定入賞口２６に入ったセーフ球１個に対して払い出すべき設定数（多数個）の貯留球が賞球として払い出される。そして、上下の両センサ６５ａ，６５ｂからなる賞球検出手段６５により前記設定数（多数個）の賞球払出しが検出されると、そのカウント検出信号が賞球検出信号分配基板７１（図３参照）を介して主基板１８及び払出し基板１９の各検出入力部４０，５３に入力され、これに伴い主基板１８及び払出し基板１９の各ＣＰＵ３８，４８において夫々記憶されている前記入力順位一番目の各信号が消去される。
【００２８】
また、このとき、前記払出し基板１９側では、前記カウント検出信号が検出入力部５３へ入力されたことに伴い、ＣＰＵ４８から駆動出力部５１に指令信号が出力され、この指令信号に従い駆動出力部５１はセーフ球処理装置１６のソレノイド６３を励磁作動させる。そのため、第１ストッパ部５６にて到達順位一番目のセーフ球を停留していた切換えレバー５８は、図６においてソレノイド６３に吸引される可動鉄片６２に追随して反時計方向へ回動変位し、第１ストッパ部５６がセーフ球通路５５外へ移動すると共に、第２ストッパ部５７がセーフ球通路５５内に移動して停止する。すると、セーフ球処理装置１６では、この第２ストッパ部５７により到達順位二番目のセーフ球が一時的に停留されるもとで、既に検出処理された前記到達順位一番目のセーフ球が第１ストッパ部５６による停留状態を解除されてセーフ球通路５５の下方から機外へ排出処理される。そして、前記ＣＰＵ４８からの次の指令信号に基づきソレノイド６３が消磁作動されてセーフ球処理装置１６が再び図６の通常状態になると、切換えレバー５８の第２ストッパ部５７に一時的に停留されていた前記到達順位二番目のセーフ球が、第１ストッパ部５６により停留されることになり、この停留状態においてセーフ球スイッチ６０による当該二番目のセーフ球の検出処理に基づいてセーフ球確認用の検出信号が払い出し基板１９の検出確認部５２に入力されることになる。
【００２９】
すると、前記到達順位一番目のセーフ球に対する検出処理の場合と同様に、検出確認部５２からのセーフ球確認信号に基づき払出し基板１９のＣＰＵ４８は、賞球信号入力部４９から入力されて入力順に記憶している各賞球信号のうち、その時点において最も入力順位が早い賞球信号、即ち、最初のセーフ球検出信号に対応した前記入力順位一番目の賞球信号が既に消去されているため、この場合は前記入力順位二番目の賞球信号（少数個払出し用の賞球信号）に基づく指令信号を駆動出力部５１に出力する。すると、この指令信号を受けた駆動出力部５１により球払出し装置１５のソレノイド６９が再び駆動・停止制御され、球払出し装置１５では前記入力順位二番目の賞球信号に対応した賞球、即ち前記普通入賞口２４に入ったセーフ球１個に対して払い出すべき設定数（少数個）の貯留球が賞球として払い出される。そして、その賞球払出しのカウント検出信号が前記各検出入力部４０，５３に入力されることに伴い、主基板１８及び払出し基板１９の各ＣＰＵ３８，４８においては夫々記憶されている前記入力順位二番目の各信号が消去される。
【００３０】
また、このとき、前記到達順位一番目のセーフ球に対する検出処理の場合と同様に、払出し基板１９のＣＰＵ４８から出力される指令信号に基づきセーフ球処理装置１６の切換えレバー５８が図６の状態から反時計方向に回動変位するため、既に検出処理された前記到達順位二番目のセーフ球が第１ストッパ部５６による停留状態を解除されてセーフ球通路５５の下方から機外へ排出される。そして、前記ＣＰＵ４８からの次の指令信号に基づきソレノイド６３が消磁作動されてセーフ球処理装置１６が再び図６の通常状態になると、切換えレバー５８の第１ストッパ部５６により今度は到達順位三番目のセーフ球が停留されることになり、この当該三番目のセーフ球の検出処理に基づくセーフ球確認用の検出信号が払い出し基板１９の検出確認部５２に入力されることになる。
【００３１】
すると、前記到達順位一番目及び二番目のセーフ球に対する各検出処理の場合と同様に、検出確認部５２から出力されるセーフ球確認信号に基づき払出し基板１９のＣＰＵ４８は、賞球信号入力部４９から入力されて入力順に記憶している各賞球信号のうち、その時点において最も入力順位が早い賞球信号、即ち、前記入力順位一番目及び入力順位二番目の各賞球信号が既に消去されているため、この場合は前記入力順位三番目の賞球信号（多数個払出し用の賞球信号）に基づく指令信号を駆動出力部５１に出力する。すると、この指令信号を受けた駆動出力部５１により球払出し装置１５のソレノイド６９が再び駆動・停止制御され、球払出し装置１５では前記入力順位三番目の賞球信号に対応した賞球、即ち前記他の一つの特定入賞口２７に入ったセーフ球１個に対して払い出すべき設定数（多数個）の貯留球が賞球として払い出される。そして、その賞球払出しのカウント検出信号が前記各検出入力部４０，５３に入力されることに伴い、主基板１８及び払出し基板１９の各ＣＰＵ３８，４８においては夫々記憶されている前記入力順位三番目の各信号が消去される。
【００３２】
そして、前記到達順位一番目及び二番目のセーフ球に対する検出処理の場合と同様に、払出し基板１９のＣＰＵ４８から出力される指令信号に基づきセーフ球処理装置１６の切換えレバー５８が図６の状態から反時計方向に回動変位するため、既に検出処理された前記到達順位三番目のセーフ球が第１ストッパ部５６による停留状態を解除されてセーフ球処理装置１６内から排出される。本実施形態では、このようにして賞球数獲得条件の異なる前記３つの入賞口２６，２４，２７に連続して入った各セーフ球に対する賞球払出し処理が終了する。なお、以上の制御処理において外部接続端子板１７からの外部電源の供給が停電等により一時停止された場合の対処として、前記各ＣＰＵ３８，４８にはバックアップ電源部７２が接続されている。
【００３３】
従って、以上のように構成された本実施形態のパチンコ遊技機によれば、次のような作用効果を奏し得る。
即ち、少数個賞球獲得条件の各普通入賞口２１〜２５及び多数個賞球獲得条件の各特定入賞口２６，２７のいずれかの入賞口においてセーフ球が発生すると、各入賞口２１〜２７に夫々対応して設けられた各入賞検知ＳＷ３１〜３７により検出された各セーフ球検出信号が即時に主基板１８のＣＰＵ３８に入力されると共に、それら各セーフ球検出信号に夫々対応して払出されるべき賞球数に関係した夫々の賞球信号が前記ＣＰＵ３８から各セーフ球検出信号の入力記憶順に従い払出し基板１９のＣＰＵ４８に入力されて一時記憶され、このＣＰＵ４８における賞球信号の入力順位に従って球払出し装置１５からの賞球払出し制御処理を行うことができる。
【００３４】
従って、例えば、図１における最上位の普通入賞口２１でセーフ球が発生した後、それよりも下方の普通入賞口２５又は特定入賞口２６で二番目のセーフ球が発生した場合において、遊技盤３の裏側通路（図示しない）から機裏側下部のセーフ球処理装置１６に至るセーフ球処理路５４の通出距離の相違により、前記二番目のセーフ球の方が前記最初のセーフ球よりも先にセーフ球処理装置１６に到達して検出処理されたとしても、その際のセーフ球確認用の検出信号に応じて検出確認部５２から出力されたセーフ球確認信号に従い払い出される賞球数については、最初に発生した普通入賞口２１に対応する賞球数に関係した賞球信号に基づくものとすることができ、各入賞口２１〜２７からセーフ球処理装置１６までのセーフ球処理路５４の長短により存在していた従来のパチンコ遊技機における賞球払出し時の弊害を確実に解消することができる。
【００３５】
次に、本発明に係るパチンコ遊技機の第２実施形態について図４を参照しながら説明する。なお、この第２実施形態は、図４からも明らかなように、セーフ球処理装置１６からセーフ球確認用の検出信号が入力される検出確認部５２を払出し基板１９にではなく主基板１８に設けた構成とした点でのみ、第１実施形態と相違しており、その他の構成は第１実施形態と同一である。従って、以下では、この検出確認部５２の配置構成を相違させたことに基づく点を主に説明し、その他の点については第１実施形態と同一符号を使用することにより重複した説明は省略する。なお、本実施形態でも３つの入賞口２６，２４，２７に連続して発生した３つのセーフ球に対する賞球払出し制御処理を例にして説明するが、その際の入球順は前記第１実施形態における説明の前提と同じである。
【００３６】
さて、この第２実施形態のパチンコ遊技機では、前述したようにセーフ球処理装置１６からのセーフ球確認用の信号入力に基づきセーフ球確認信号を出力する検出確認部（セーフ球確認部ともいう）５２が主基板１８のＣＰＵ３８の入力側に接続されており、このＣＰＵ３８においては各検出入力部４１〜４７を介して入力された各セーフ球検出信号を入力順に区分記憶したもとで、前記検出確認部５２からのセーフ球確認信号がＣＰＵ３８に入力されると、その時点において最も入力順位の早いセーフ球検出信号（この場合は最初のセーフ球を検出した入賞検知ＳＷ３６からのセーフ球検出信号）と対応する賞球情報の信号、即ち、多数個払出し用の賞球情報に対応した賞球信号のみが賞球信号出力部３９から払出し基板１９の賞球信号入力部４９に出力される。
【００３７】
すると、払出し基板１９のＣＰＵ４８は、前記賞球信号入力部４９が入力した一つの賞球信号（多数個払出し用の賞球情報に対応した賞球信号）に従い駆動出力部５１が球払出し装置１５のソレノイド６９を励磁作動する。従って、球払出し装置１５からは前記入力順位一番目の賞球信号に対応した賞球、即ち前記特定入賞口２６に入ったセーフ球１個に対して払い出すべき設定数（多数個）の貯留球が賞球として払い出され、その後、賞球検出手段６５からカウント検出信号が賞球検出信号分配基板７１（図３参照）を介して主基板１８及び払出し基板１９の各検出入力部４０，５３に入力されると、主基板１８のＣＰＵ３８では前記入力順位一番目の信号が消去される一方、払出し基板１９のＣＰＵ４８においては入力記憶されている前記一つの賞球信号が消去される。そして、セーフ球処理装置１６では、前記第１実施形態の場合と同様にして、既に検出処理された到達順位一番目のセーフ球が排出されると共に、到達順位二番目のセーフ球が停留検出されることに伴い次のセーフ球確認用の検出信号が前記主基板１８の検出確認部５２に出力される。
【００３８】
そして、検出確認部５２から次のセーフ球確認信号が出力されることに伴い、主基板１８のＣＰＵ３８では、入力順に区分記憶している各セーフ球検出信号のうち、その時点において最も入力順位が早いセーフ球検出信号、即ち、前記入力順位一番目のセーフ球検出信号が既に消去されているため、この場合は前記入力順位二番目のセーフ球検出信号（二番目のセーフ球を検出した入賞検知ＳＷ３４からのセーフ球検出信号）と対応する賞球情報の信号、即ち、少数個払出し用の賞球情報に対応した賞球信号のみが賞球信号出力部３９から払出し基板１９の賞球信号入力部４９に出力される。そして、この入力された一つの賞球信号（少数個払出し用の賞球情報に対応した賞球信号）に従い払出し基板１９のＣＰＵ４８が球払出し装置１５による賞球払出しを制御する。従って、球払出し装置１５からは前記入力順位二番目の賞球信号に対応した賞球、即ち前記普通入賞口２４に入ったセーフ球１個に対して払い出すべき設定数（少数個）の貯留球が賞球として払い出され、その後、前記と同様に、主基板１８のＣＰＵ３８では前記入力順位二番目の信号が消去される一方、払出し基板１９のＣＰＵ４８においては入力記憶されている前記一つの賞球信号が消去される。
【００３９】
また、セーフ球処理装置１６では、前記第１実施形態の場合と同様にして、既に検出処理された到達順位二番目のセーフ球が排出されると共に、到達順位三番目のセーフ球が停留検出されることに伴い次のセーフ球確認用の検出信号が前記主基板１８の検出確認部５２に出力される。そして、その後、前記主基板１８及び払出し基板１９の制御処理に基づき球払出し装置１５及びセーフ球処理装置１６が作動制御されて、今度は前記特定入賞口２７に入ったセーフ球１個に対して払い出すべき設定数（多数個）の賞球払出し制御処理が、前記到達順位一番目及び二番目の各セーフ球の検出処理の場合と同様にして行われる。従って、この第２実施形態においても前記第１実施形態の場合と同様の作用効果を奏し得る。
【００４０】
次に、本発明に係るパチンコ遊技機の第３実施形態について図５を参照しながら説明する。なお、この第３実施形態は、図５からも明らかなように、セーフ球処理装置１６からセーフ球確認用の検出信号が入力される検出確認部として第１検出確認部５２ａを主基板１８に設けると共に、第２検出確認部５２ｂを払出し基板１９に設けた構成とし、これら両検出確認部５２ａ，５２ｂとセーフ球処理装置１６のセーフ球スイッチ６０との間にセーフ球信号分配基板７３を設けた点でのみ、前記第１実施形態と相違しており、その他の構成は第１実施形態と同一である。従って、以下では、この検出確認部５２（第１検出確認部５２ａ，第２検出確認部５２ｂ）の配置構成を相違させたことに基づく点を主に説明し、その他の点については第１実施形態と同一符号を使用することにより重複した説明は省略する。なお、本実施形態でも３つの入賞口２６，２４，２７に連続して発生した３つのセーフ球に対する賞球払出し制御処理を例にして説明するが、その際の入球順は前記第１実施形態における説明の前提と同じである。
【００４１】
さて、この第３実施形態のパチンコ遊技機では、前述したように主基板１８のＣＰＵ３８の入力側に第１検出確認部５２ａが接続されると共に、払い出し基板１９のＣＰＵ４８の出力側に第２検出確認部５２ｂが接続されている。従って、主基板３８のＣＰＵ３８においては各検出入力部４１〜４７を介して入力された各セーフ球検出信号を入力順に区分記憶したもとで、前記第１検出確認部５２ａからのセーフ球確認信号がＣＰＵ３８に入力されることに伴い、前記第２実施形態における場合と同様に、その時点において最も入力順位の早いセーフ球検出信号と対応する賞球情報の信号のみを賞球信号出力部３９から払出し基板１９の賞球信号入力部４９に出力する。一方、払出し基板１９のＣＰＵ４８においては、前記第２検出確認部５２ｂからのセーフ球確認信号がＣＰＵ４８に入力されることに伴い、前記賞球信号入力部４９が入力した一つの賞球信号に従い球払出し装置１５による賞球払出し作動を制御する。
【００４２】
従って、球払出し装置１５からは前記一つの賞球信号に対応した賞球、即ち前記特定入賞口２６に入ったセーフ球１個に対して払い出すべき設定数（多数個）の貯留球が賞球として払い出され、その後、賞球検出手段６５からカウント検出信号が賞球検出信号分配基板７１（図３参照）を介して主基板１８及び払出し基板１９の各検出入力部４０，５３に入力されると、主基板１８のＣＰＵ３８では前記入力順位一番目の信号が消去される一方、払出し基板１９のＣＰＵ４８においては入力記憶されている前記一つの賞球信号が消去される。そして、セーフ球処理装置１６では、前記第１実施形態の場合と同様にして、既に検出処理された到達順位一番目のセーフ球が排出されると共に、到達順位二番目のセーフ球が停留検出されることに伴い次のセーフ球確認用の検出信号が前記各検出確認部５２ａ，５２ｂに出力される。
【００４３】
すると、検出確認部５２ａから次のセーフ球確認信号が出力されることに伴い、主基板１８のＣＰＵ３８では、入力順に区分記憶している各セーフ球検出信号のうち、その時点において最も入力順位が早いセーフ球検出信号、即ち、入力順位一番目のセーフ球検出信号が既に消去されているため、この場合は前記入力順位二番目のセーフ球検出信号（二番目のセーフ球を検出した入賞検知ＳＷ３４からのセーフ球検出信号）と対応する賞球情報の信号、即ち、少数個払出し用の賞球情報に対応した賞球信号のみが賞球信号出力部３９から払出し基板１９の賞球信号入力部４９に出力される。そして、この入力された一つの賞球信号（少数個払出し用の賞球情報に対応した賞球信号）に従い払出し基板１９のＣＰＵ４８では第２検出確認部５２ｂからのセーフ球確認信号が入力されたときに球払出し装置１５による賞球払出しを制御する。従って、球払出し装置１５からは前記入力順位二番目の賞球信号に対応した賞球、即ち前記普通入賞口２１に入ったセーフ球１個に対して払い出すべき設定数（少数個）の貯留球が賞球として払い出され、その後、前記と同様に、主基板１８のＣＰＵ３８では前記入力順位二番目の信号が消去される一方、払出し基板１９のＣＰＵ４８においては入力記憶されている前記一つの賞球信号が消去される。
【００４４】
また、セーフ球処理装置１６では、前記第１実施形態の場合と同様にして、既に検出処理された到達順位二番目のセーフ球が排出されると共に、到達順位三番目のセーフ球が停留検出されることに伴い次のセーフ球確認用の検出信号が前記各検出確認部５２ａ，５２ｂに出力される。そして、その後、前記主基板１８及び払出し基板１９の制御処理に基づき球払出し装置１５及びセーフ球処理装置１６が作動制御されて、今度は三番目のセーフ球に対する多数個の賞球払出し制御処理が、前記到達順位一番目及び二番目の各セーフ球に対する検出処理の場合と同様にして行われる。従って、この第２実施形態においても前記第１実施形態の場合と同様の作用効果を奏し得る。
【００４５】
なお前記各実施形態におけるパチンコ遊技機は次のように構成を変更して具体化してもよい。
例えば、前記各実施形態において遊技盤３側でセーフ球の発生を検出する入賞検知ＳＷ３１〜３７は、対応する各入賞口２１〜２７の近傍に設置されていればよく、遊技盤３に対する具体的な設置個所は各入賞口２１〜２７の入口部分（表側）でも出口部分（裏側）でもどちらでもよい。そのため、設計の自由度は広く確保されている。また、賞球数獲得条件が同じ複数の入賞口が近接して遊技盤３上に配置されている場合には、その両入賞口の近傍に一つの入賞検知ＳＷを共用のものとして設置してもよい。このように構成すれば、検出手段を構成する入賞検知ＳＷに関するコストを低減できる。さらに、前記各実施形態では各入賞口２１〜２７に対する賞球数獲得条件の設定が２種類であったが、主基板１８のＣＰＵ３８で予め記憶可能な賞球情報の種類に対応して３種類以上（例えば５〜７個、８〜１０個、１１〜１５個の夫々の所定数）の設定であってもよい。このように構成すれば、パチンコ遊技機における多様なゲーム内容に対して容易に対処できる。
【００４６】
さらに、前記各実施形態においては、図６に示すセーフ球処理装置１６を使用したが、前述したようにセーフ球処理装置としては、図７〜図１０に示す各セーフ球処理装置についても使用可能である。
【００４７】
因みに、図７のセーフ球処理装置１６ａでは、同図に示すソレノイド６３の消磁状態において、セーフ球処理路５４を介して全てのセーフ球が整列状態で到達すると、切換えレバー５８の先端に設けられた第１ストッパ部５６により到達順位一番目のセーフ球を停留検出して当該セーフ球１個に対するセーフ球確認用の信号をセーフ球スイッチ６０から出力し、その後、払出し基板１９の駆動出力部５１から出力された指令信号に基づき前記ソレノイド６３が励磁作動されると、バネ６１の付勢力に抗して可動鉄片（ロッド）６２が吸引されるため、前記切換えレバー５８が支点５９を中心に時計方向へ回動変位して既に検出処理した到達順位一番目のセーフ球を第２ストッパ部（球受け部）５７で一旦受止めた後、次の指令信号に基づき前記ソレノイド６３が消磁されると、バネ６１の付勢力により前記切換えレバー５８が反時計方向へ回動変位して前記到達順位一番目のセーフ球をセーフ球通路５５から排出する一方、今度は到達順位二番目のセーフ球を前記と同様に第１ストッパ部５６により停留検出する構成となっている。
【００４８】
また、図８のセーフ球処理装置１６ｂでは、同図に示すソレノイド６３の消磁状態において、セーフ球処理路５４を介して全てのセーフ球が整列状態で到達すると、第１切換えレバー５８ａの先端に設けられた第１ストッパ部５６により到達順位一番目のセーフ球を停留検出して当該セーフ球１個に対するセーフ球確認用の信号をセーフ球スイッチ６０から出力し、その後、払出し基板１９の駆動出力部５１から出力された指令信号に基づき前記ソレノイド６３が励磁作動されると、バネ６１の付勢力に抗して可動鉄片６２が吸引されるため、前記第１切換えレバー５８ａが支点５９ａを中心に時計方向へ回動変位して既に検出処理した到達順位一番目のセーフ球をセーフ球通路５５から排出すると共に、第２切換えレバー５８ｂが支点５９ｂを中心に反時計方向へ回動変位して、同レバー５８ｂの先端に設けられた第２ストッパ部５７により到達順位二番目のセーフ球を一旦受止めた後、次の指令信号に基づき前記ソレノイド６３が消磁されると、バネ６１の付勢力により可動鉄片６２が復帰移動することに伴い、前記第２切換えレバー５８ｂが時計方向へ回動変位すると共に前記第１切換えレバー５８ａが反時計方向へ回動変位して今度は到達順位二番目のセーフ球を前記と同様に第１ストッパ部５６により停留検出する構成となっている。
【００４９】
また、図９のセーフ球処理装置１６ｃでは、同図に示すソレノイド６３の消磁状態において、セーフ球処理路５４を介して全てのセーフ球が整列状態で到達すると、可動鉄片６２の先端に設けられた第１ストッパ部５６により到達順位一番目のセーフ球を停留検出して当該セーフ球１個に対するセーフ球確認用の信号をセーフ球スイッチ６０から出力し、その後、払出し基板１９の駆動出力部５１から出力された指令信号に基づき前記ソレノイド６３が励磁作動されると、バネ６１の付勢力に抗して可動鉄片６２が吸引されて移動し、既に検出処理した到達順位一番目のセーフ球をセーフ球通路５５から排出すると共に、前記可動鉄片６２と係合する切換えレバーに相当する回動盤５８が重り５８ｃの回動付勢力に抗して支点５９を中心に反時計方向へ回動変位して、同回動盤５８の先端に設けられた第２ストッパ部５７により到達順位二番目のセーフ球を一旦受止めた後、次の指令信号に基づき前記ソレノイド６３が消磁されると、バネ６１の付勢力により可動鉄片６２が復帰移動することに伴い、前記回動盤５８が時計方向へ回動変位すると共に前記可動鉄片６２の第１ストッパ部５６により前記と同様に到達順位二番目のセーフ球を停留検出する構成となっている。
【００５０】
また、図１０のセーフ球処理装置１６ｄは、前記図６のセーフ球処理装置１６の応用例であり、ソレノイド６３が励磁作動されると可動鉄片（ロッド）６２の先端が突出して切換えレバー５８に当たり、同レバー５８を捻りバネ６１の付勢力に抗して図１０に示す状態から支点５９を中心にして時計方向へ回動変位させるものであって、この切換えレバー５８の回動変位に伴う各セーフ球の検出処理態様は図６に示すセーフ球処理装置１６の場合と同じである。
【００５１】
さらに、前記各実施形態においては、図１１に示す球払出し装置１５を使用したが、前述したように球払出し装置としては、図１２〜図１７に示す各球払出し装置についても使用可能である。
【００５２】
因みに、図１２の球払出し装置１５ａでは、駆動手段としてのモータ６９が駆動出力部５１からの指令信号に従い駆動・停止制御されるもとで、同モータ６９が回転すると球送り体（スクリュー）６６が同期回転して各賞球通路６４内の賞球を下流側へ供給して払出し、その際に賞球検出手段６５により払出した賞球数をカウント検出する構成になっている。
【００５３】
また、図１３の球払出し装置１５ｂでは、駆動手段としてのソレノイド６９が駆動出力部５１からの指令信号に従い励磁作動及び消磁作動制御されるもとで、前記ソレノイド６９が励磁されると可動鉄片６８による係合を解除された球送り体６６が所定回転数だけ回転して賞球通路６４内の賞球を下流側へ供給して払出し、その際に上センサ６５ａ及び下センサ６５ｂからなる賞球検出手段６５により払出した賞球数をカウント検出する構成になっている。なお、別に設けられたソレノイド７４の励磁作動及び消磁作動を制御することにより、可動鉄片（作動レバー）７５ａを介して切換えレバー７５ｂの位置を切換えて賞球払出し要求又は貸し球払出し要求の夫々に対応し得る構成になっている。
【００５４】
また、図１４，１５の球払出し装置１５ｃは、図１５に示すように、賞球通路６４を有する賞球払出し装置と貸し球通路７６を有する貸し球払出し装置が並設された装置構成にあって、各装置毎に、ソレノイド６９，７７の励磁作動に伴いバネ６７，７８の付勢力に抗して吸引される可動鉄片６８，７９との係合状態が解除されることで所定回転数だけ貯留球を回転して払出す球送り体６６，８０を備えると共に、各通路６４，７６毎に払い出した賞球数又は貸し球数をカウント検出する賞球検出手段６５又は貸し球検出手段８１を備えた構成となっている。
【００５５】
また、図１６，１７の球払出し装置１５ｄでは、整流樋１３の下流端と供給経路部１４の入口との境部分に配置され、駆動手段としてのモータ６９が回転制御されることにより、球送り体（スクリュー）６６が所定回転数だけ回転すると、その回転に伴い賞球が供給経路部１４側へ払出しされる構成とされ、その際には左右一対のセンサからなる賞球検出手段６５により払出した賞球数をカウント検出するようになっている。
【００５６】
【発明の効果】
本願請求項１〜４の発明によれば、遊技盤の上下左右に配置された各入賞口に入ったセーフ球１個ずつの検出入力順に基づいて各入賞口毎の賞球数獲得条件に対応した設定数（少数個又は多数個）の賞球を正確且つ速やかに払い出すことができる。
【００５７】
加えて、請求項１の発明によれば、払出し基板を取換えるだけで、従来機種のパチンコ遊技機に適用可能であり、また請求項２の発明によれば、主基板を取換えるだけで、従来機種のパチンコ遊技機に適用することができる。そして、請求項３の発明によれば、主基板及び払出し基板の双方にセーフ球確認信号を出力する検出確認部を設けているため、より一層確実に正確な賞球払出しをなし得る。また、請求項４の発明によれば、外部電源の供給が停電等により一時停止した場合であっても記憶内容に基づき賞球の払出しを再開させることができる。
【図面の簡単な説明】
【図１】  本発明の一実施形態に係るパチンコ機を略示する正面図。
【図２】  同じく図１のパチンコ機を裏側から略示する背面図。
【図３】  第１実施形態における電気的構成のブロック図。
【図４】  第２実施形態における電気的構成のブロック図。
【図５】  第３実施形態における電気的構成のブロック図。
【図６】  本実施形態に使用したセーフ球処理装置の概略正面図。
【図７】  別例のセーフ球処理装置の概略正面図。
【図８】  別例のセーフ球処理装置の概略正面図。
【図９】  別例のセーフ球処理装置の概略正面図。
【図１０】別例のセーフ球処理装置の概略正面図。
【図１１】本実施形態で使用した球払出し装置の概略正面図。
【図１２】別例の球払出し装置の概略正面図。
【図１３】別例の球払出し装置の概略正面図。
【図１４】別例の球払出し装置の概略正面図。
【図１５】図１４の球払出し装置の概略平面図。
【図１６】別例の球払出し装置の概略正面図。
【図１７】図１６の球払出し装置の概略平面図。
【符号の説明】
３…遊技盤、          １１…機構セット盤、    １５…球払出し装置、
１６…セーフ球処理装置、１８…主基板、          １９…払出し基板、
２１〜２５…普通入賞口、２６，２７…特定入賞口、３１〜３７…入賞検知ＳＷ
３８…ＣＰＵ、          ３９…賞球信号出力部、  ４１〜４７…検出入力部、
４８…ＣＰＵ、          ４９…賞球信号入力部、  ５１…駆動出力部、
５２…検出確認部、      ６９…駆動手段としてのソレノイド
【図１】
0004014757.tif 000002
【図２】
0004014757.tif 000003
【図３】
0004014757.tif 000004
【図４】
0004014757.tif 000005
【図５】
0004014757.tif 000006
【図６】
0004014757.tif 000007
【図７】
0004014757.tif 000008
【図８】
0004014757.tif 000009
【図９】
0004014757.tif 000010
【図１０】
0004014757.tif 000011
【図１１】
0004014757.tif 000012
【図１２】
0004014757.tif 000013
【図１３】
0004014757.tif 000014
【図１４】
0004014757.tif 000015
【図１５】
0004014757.tif 000016
【図１６】
0004014757.tif 000017
【図１７】
0004014757.tif 000018